(57)【要約】      （修正有）【課題】ゴルフクラブのヘッドカバーでクラブをカバーする際、ヘッドが全部覆われてしまうため、クラブの番号が見えなくなるので、この不都合を解消する。【解決手段】ゴルフクラブのヘッドカバーに用いる番号表示器であって、ゴルフクラブのヘッドカバーに連結させる連接装置４を含むケースを備え、前記ケースは正面と裏面を有し、前記正面には番号表示窓５が開口し、前記ケースの内部には間欠回転できる円盤６及び円盤に連接される回転式駆動装置が設けられ、円盤上には複数の異なる番号７が付され、各番号は円盤の周方向に分布しており、円盤が間欠回転する時、各番号が順番に１つずつケースの番号表示窓を通って表示されるゴルフクラブのヘッドカバーに用いる番号表示器。【選択図】図１
0003131213.tif 000002
【実用新案登録請求の範囲】
【請求項１】
ゴルフクラブのヘッドカバーに用いる番号表示器であって、ゴルフクラブのヘッドカバーに連結させる連接装置を含むケースを備え、前記ケースは正面と裏面を有し、前記正面には番号表示窓が開口し、前記ケースの内部には間欠回転できる円盤及び円盤に連接される回転式駆動装置が設けられ、円盤上には複数の異なる番号が付され、各番号は円盤の周方向に分布しており、円盤が間欠回転する時、各番号が順番に１つずつケースの番号表示窓を通って表示されるゴルフクラブのヘッドカバーに用いる番号表示器。
【請求項２】
前記円盤に連接される回転式駆動装置は、ボタン、伝動部材及びリセット装置を含み、伝動部材は周方向に円盤と非相対的に回転し、ボタンと伝動部材にはそれぞれ駆動歯及び駆動溝が設けられ、駆動歯と駆動溝の噛み合いによって伝動部材と円盤が間欠回転し、リセット装置は伝動部材の後端とケースの内表面との間に設置され、ケース正面の中心位置にはボタンが伸出する通孔が開口し、通孔の内周にボタンを規制する位置決めブロックが設けられていることを特徴とする請求項１記載のゴルフクラブのヘッドカバーに用いる番号表示器。
【請求項３】
前記円盤に連接される回転式駆動装置は、ボタン、伝動部材及びリセット装置を含み、伝動部材は周方向に円盤と非相対的に回転し、ボタンと伝動部材にはそれぞれ駆動歯及び駆動溝が設けられ、駆動歯と駆動溝の噛み合いによって伝動部材と円盤が間欠回転し、リセット装置は伝動部材の先端とケースの内表面との間に設置され、ケース裏面の中心位置にはボタンが伸出する通孔が開口し、通孔の内周にボタンの回転を規制する位置決めブロック及び伝動部材の回転方向を誘導するガイド溝が設けられていることを特徴とする請求項１記載のゴルフクラブのヘッドカバーに用いる番号表示器。
【請求項４】
前記ケースは前カバーと後カバーを組み合わせたものであって、番号表示窓が前カバーに設けられ、前カバーが後カバーとネジで連接されることを特徴とする請求項１から３のいずれか１項記載のゴルフクラブのヘッドカバーに用いる番号表示器。
【請求項５】
前記リセット装置は圧縮スプリングと圧縮スプリングの一端に固定して連接される助滑部材を含むことを特徴とする請求項１から３のいずれか１項記載のゴルフクラブのヘッドカバーに用いる番号表示器。
【請求項６】
前記ケース上にあってゴルフクラブヘッドカバーに連結される連接装置は、布を通してゴルフクラブのヘッドカバーに結び付けるための長孔であることを特徴とする請求項１から３のいずれか１項記載のゴルフクラブのヘッドカバーに用いる番号表示器。
【考案の詳細な説明】
【技術分野】
【０００１】
本考案はゴルフクラブのヘッドカバーに用いる番号表示器に関し、特に必要に応じて表示する番号を変更できる番号表示器に関する。
【背景技術】
【０００２】
ヘッドカバーを使ってゴルフクラブを保護することは、プレーヤー常用する方法である。特にウッドは通常、１番、３番、５番およびパターＸ番と分かれ、値段が非常に高いため、使わないでクラブケースに置く際には、十分に保護されなければならない。従来のゴルフクラブのカバーは、一般的にヘッドカバーと本体カバーからなり、ヘッドカバーはネルなどの良質な材料で縫製され、本体カバーは弾力性のある材質で長筒形に作られ、クラブ全体を保護している。
【考案の開示】
【考案が解決しようとする課題】
【０００３】
ゴルフクラブのヘッドカバーでクラブをカバーする際、ヘッドが全部覆われてしまうため、クラブの番号が見えなくなる。クラブの番号を識別するために、通常のやり方の一つとして、カバーのヘッドの所に数字や英字を刺繍する。数字や英字の刺繍が付いているカバーはその標示クラブの専用カバーになるため、この方法では、いずれのカバーも専用カバーとなって、別のクラブには使えなくなるので不便である。
【０００４】
もう一つのやり方として、カバーのヘッドに布で番号ラベルを連結する方法がある。番号の数字や符号を見れば、覆われたクラブの番号が分かる。このやり方はカバーに異なる番号ラベルを連結することによって、カバーをどのクラブにも使うことができる。しかし、番号ラベルがばらばらに放置され、紛失したり落ちてしまう問題が常に発生し、使用上不便である。特に、１つのカバーに対して複数の番号ラベルが必要になるので、複数のカバーには複数組の番号ラベルを準備しなければならず、携帯に不便であり、これも大きな問題である。
【課題を解決するための手段】
【０００５】
従来技術の欠陥に鑑み、本考案は複数の異なる数字や符号を備えるゴルフクラブヘッドカバーの表示器を提供する。ユーザーはこれにより、必要に応じて表示される番号を簡単に変更できる。
上記技術上の課題を解決するため、本考案は次のような技術案を採用する。ゴルフクラブのヘッドカバーに用いる番号表示器において、ゴルフクラブヘッドカバーに連結される連接装置を含むケースを備え、前記ケースは正面と裏面を有し、前記正面に番号表示窓が開口し、前記ケース内部に間欠回転できる円盤及び円盤に連接される回転式駆動装置が設けられる。円盤上には複数の異なる番号が付され、各番号は円盤の周方向に分布している。円盤が間欠回転する時、円盤上の各番号は順番に１つずつケースの番号表示窓を通って表示される。
【０００６】
第１の実施形態によれば、円盤に連接される回転式駆動装置は、ボタン、伝動部材及びリセット装置を含む。伝動部材は周方向に円盤と非相対的に回転し、ボタンと伝動部材にそれぞれ駆動歯及び駆動溝が設けられ、駆動歯と駆動溝の噛み合いによって伝動部材と円盤が間欠回転する。リセット装置は伝動部材の後端とケースの内表面との間に設置される。ケース正面の中心位置にはボタンが伸出する通孔が開口し、通孔の内周にボタンの回転を規制する位置決めブロックが設けられている。
【０００７】
第２の実施形態によれば、円盤に連接される前記回転式駆動装置は、ボタン、伝動部材及びリセット装置を含む。伝動部材は周方向に円盤と非相対的に回転し、ボタンと伝動部材にそれぞれ駆動歯及び駆動溝が設けられ、駆動歯と駆動溝の噛み合いによって伝動部材と円盤が間欠回転する。リセット装置は伝動部材の先端とケース内表面との間に設置される。ケース裏面の中心位置にボタンが伸出する通孔が開口し、通孔の内周にボタンの回転を規制する位置決めブロック及び伝動部材の回転方向を誘導するガイド溝が設けられている。
【０００８】
前記ケースは、前カバーと後カバーを組み合わせたものであって、番号表示窓が前カバーに設けられ、前カバーと後カバーはネジで連接される。
前記リセット装置は、圧縮スプリングと圧縮スプリングの一端に固定され連接される助滑部材を含む。
【０００９】
前記ケース上にあってゴルフクラブヘッドカバーに連結される連接装置は、布を通してゴルフクラブのヘッドカバーに結び付けるための長孔である。
本考案は、複数の異なる数字や符号を一体化した番号表示器であって、ユーザーは必要に応じて簡単に表示する番号を変更でき、１つの番号表示器で複数の常用するクラブの番号を表示する機能を実現し、複数の識別標を携帯する煩雑さを解消し、使用が簡便である等有益な効果を達成できる。
【考案を実施するための最良の形態】
【００１０】
図１乃至図４は、本考案のゴルフクラブのヘッドカバーに用いる番号表示器の第１の実施形態を示している。このゴルフクラブのヘッドカバーはケースを備え、該ケースは、ネジ３で前カバー１と後カバー２を連接することにより構成される。ケースの頂部にはゴルフクラブのヘッドカバーに連結される連接装置４が設けられている。好ましくは、この連接装置４は長孔であって、布をその長孔に通しゴルフクラブのヘッドカバーに結び付けることにより連結する。ケースの前カバー１には番号表示窓５が設けられ、前記ケースの内部に間欠回転できる円盤６及び円盤６に連接される回転式駆動装置があり、円盤６上に複数の異なる番号７が付され、各番号７は円盤６の周方向に分布している。円盤６の中心には通孔６１が開口され、通孔６１の縁に２つの向かい合う位置決め溝６２がある。円盤６が間欠回転する時、各番号７は順番に１つずつケースの番号表示窓５を通って表示される。円盤６に連接される回転式駆動装置は、ボタン８、伝動部材９及びリセット装置１０を含む。ボタン８の下部には円方向に均一分布する駆動歯８１がある。伝動部材９の頂部にはボタン８の下部の固定孔８２に挿し込む固定柱９１がある。伝動部材９の中間部には円方向に均一分布され、駆動歯８１と噛み合う駆動溝９２がある。伝動部材９の下部にはリセット装置１０の先端を収納する助滑部材１０１のチャンバ９４がある。伝動部材９の下部には凸縁があって、凸縁の上側に２つの向かい合う位置決めブロック９３がある。これらの２つの位置決めブロック９３は、前記２つの位置決め溝６２にそれぞれ嵌合して、伝動部材９を周方向に円盤６と非相対的に回転させる。
【００１１】
ボタン８下部の駆動歯８１は伝動部材９の駆動溝９２に嵌合して、伝動部材９及び円盤９を間欠回転させる。リセット装置１０は圧縮スプリング１０２と圧縮スプリング先端に固定して連接される助滑部材１０１を含んで、伝動部材９下部のチャンバ９４とケース後カバー２の内表面の中心溝２１との間に設けられる。ケースの前カバー１の中心位置に通孔１１が開口されており、ボタン８はその通孔から伸出し、通孔１１の内周にボタン８の回転を規制する位置決めブロック１１１がある。
【００１２】
常態下では、ボタン８の頂端は通孔１１の外へ伸出しており、ボタン８を押すと、その下部の駆動歯８１は伝動部材９の駆動溝９２に嵌合して相対回転を始める。位置決めブロック１１１が作用するため、ボタン８は回転せず、伝動部材９と円盤６との間は、２つの位置決めブロック９３と２つの位置決め溝６２の嵌合によって互いに固定され、周方向の相対的回転は起こらない。したがって、ボタン８が押されると、伝動部材９と円盤６は一定角度回転し、ボタン８を放すと、リセット装置１０の作用によってボタンが跳び上がり、同時に伝動部材９と円盤６はさらに一定角度回転し、ちょうど次の番号が表示窓５から表示され、こうして番号の変更が達成される。続けて他の番号に変更したいならば、繰り返して以上の操作を行う。
【００１３】
図５及び図６は、本考案のゴルフクラブのヘッドカバーに用いられる番号表示器の第２の実施形態を示している。第1の実施形態と同様に、このゴルフクラブのヘッドカバーはネジ１４で前カバー１２と後カバー１３を連接することによってできるケースを含む。ケースの頂部にはゴルフクラブのヘッドカバーに連結される連接装置１５が設置されている。ケースの前カバー１２に番号表示窓１６が開口され、前記ケースの内部に間欠回転できる円盤１７及び円盤１７に連接される回転式駆動装置があり、円盤１７上に複数の異なる番号１８が付され、各番号１８は円盤１７の周方向に分布している。円盤１７が間欠回転する時、各番号１８は順番に１つずつケースの番号表示窓１６を通って表示される。円盤に連接される回転式駆動装置も同様に、ボタン１９、伝動部材及びリセット装置を含む。第1の実施形態と違って、この実施形態では、通孔１１がケースの後カバー１３の中心位置に開口し、ボタン１９はその通孔から伸出している。通孔１１の内周にはボタン１９の回転を規制する位置決めブロックと伝動部材の回転方向を誘導するガイド溝がある。伝動部材は周方向に円盤１７と非相対的に回転する。ボタン１９は伝動部材の後端に嵌合してガイド溝に誘導され、伝動部材及び円盤１７を間欠回転させる。リセット装置は圧縮スプリングであり、伝動部材の先端とケース前カバー１２の内表面との間に設けられる。
【００１４】
以上は本考案の好ましい実施形態である。実際には、この分野の一般的な技術者であれば、本考案の構想を前提として、若干の変更或いは改善を実現できる。これらの変更或いは改善の実施も本考案の保護対象である。
【図面の簡単な説明】
【００１５】
【図１】本考案による第１の実施形態におけるゴルフクラブヘッドカバーの正面外観図である。
【図２】本考案による第１の実施形態におけるゴルフクラブヘッドカバーの背面外観図である。
【図３】本考案による第１の実施形態における円盤の正面外観図である。
【図４】本考案による第１の実施形態におけるパーツの分解図である。
【図５】本考案による第２の実施形態におけるゴルフクラブヘッドカバーの正面外観図である。
【図６】本考案による第２の実施形態におけるゴルフクラブヘッドカバーの背面外観図である。
【符号の説明】
【００１６】
１，１２  前カバー
２，１３  後カバー
３，１４  ネジ
４，１５  連接装置
５，１６  番号表示窓
６，１７  円盤
７，１８  番号
８，１９  ボタン
９  伝動部材
１０  リセット装置
１１，６１  通孔
２１  中心溝
６２  位置決め溝
８１  駆動歯
８２  固定孔
９１  固定柱
９２  駆動溝
９３，１１１  位置決めブロック
９４  チャンバ
１０１  助滑部材
１０２  圧縮スプリング
【図１】
0003131213.tif 000003
【図２】
0003131213.tif 000004
【図３】
0003131213.tif 000005
【図４】
0003131213.tif 000006
【図５】
0003131213.tif 000007
【図６】
0003131213.tif 000008